(57)【要約】【課題】家電機器などの機器および警報器の遠隔操作の機能を拡張し、かつ操作器の設置数を削減できるなど、操作器の利便性を高める。【解決手段】警報器（６）と警報器以外の機器（４）とを共通の操作器で操作する警報操作システムであって、特定のデータフォーマットを用いる機器（４）と、ひとつ以上のデータフォーマットが格納され、該データフォーマットから機器と共通のデータフォーマットを選択し、または機器と共通のデータフォーマットを取得して遠隔操作が行える警報器（６）と、機器および警報器に共通するデータフォーマットにより、機器（４）または警報器（６）を選択的に操作可能な操作器（８）とを備える。【選択図】図１
2020004082.tif 000002
【特許請求の範囲】
【請求項１】
警報器と警報器以外の機器とを共通の操作器で操作する警報操作システムであって、
特定のデータフォーマットを用いる機器と、
ひとつ以上のデータフォーマットが格納され、該データフォーマットから前記機器と共通のデータフォーマットを選択し、または前記機器と共通のデータフォーマットを取得して遠隔操作が行える警報器と、
前記機器および前記警報器に共通するデータフォーマットにより、前記機器または前記警報器を選択的に操作可能な操作器と、
を備えることを特徴とする警報操作システム。
【請求項２】
前記警報器は、
点灯、消灯、点滅、調光または発光色が切替え可能な光源部と、
前記操作器の操作信号により、前記光源部の点灯、消灯、点滅、調光または発光色の切替えを行う光源制御部と、
を備えることを特徴とする請求項１に記載の警報操作システム。
【請求項３】
前記操作器は、
前記警報器に対して前記データフォーマットの選択または取得を指示し、または前記光源制御部に対して前記光源部の点灯、消灯、点滅、調光または発光色の切替えを指示する操作部を備えることを特徴とする請求項２に記載の警報操作システム。
【請求項４】
前記警報器から音声による指示情報が発せられ、この指示情報に基づき前記操作器が前記警報器または前記機器に対する操作情報を出力することを特徴とする請求項１に記載の警報操作システム。
【請求項５】
コンピュータにより実現するプログラムであって、
ひとつ以上のデータフォーマットを格納する記憶部から機器と共通のデータフォーマットを選択する機能と、
前記機器と共通のデータフォーマットを取得する機能と、
を前記コンピュータにより実現するプログラム。
【請求項６】
操作器に対する音声指示を行う指示情報を生成する機能を含む請求項５に記載のプログラム。
【請求項７】
機器と共通の操作器で遠隔操作が可能な警報器であって、
ひとつ以上のデータフォーマットが格納される記憶部と、
前記記憶部から前記機器と共通のデータフォーマットを選択し、または前記機器と共通のデータフォーマットを取得する処理部と、
を備えることを特徴とする警報器。
【請求項８】
さらに、点灯、消灯、点滅、調光または発光色が切替え可能な光源部と、
前記操作器の操作信号により、前記光源部の点灯、消灯、点滅、調光または発光色の切替えを行う光源制御部と、
を備えることを特徴とする請求項７に記載の警報器。
【請求項９】
さらに、遠隔操作に用いるデータフォーマット、共通のデータフォーマットで遠隔操作される機器、または遠隔操作が可能な操作器の何れかまたは二以上を表す識別情報を提示する情報提示部を備えることを特徴とする請求項７に記載の警報器。
【請求項１０】
前記操作器に対して音声指示を出力する音声指示部を備えることを特徴とする請求項７に記載の警報器。
【請求項１１】
機器と警報器を共通のデータフォーマットで選択的に遠隔操作する操作器であって、
前記機器または前記警報器に対する操作信号を出力する操作制御部と、
前記警報器に対して前記データフォーマットの選択または取得を指示し、または光源制御部に対して光源部の点灯、消灯、点滅、調光または発光色の切替えを指示する操作部と、
を備えることを特徴とする操作器。
【請求項１２】
さらに、遠隔操作に用いる前記データフォーマット、遠隔操作が可能な前記機器または前記警報器の何れかまたは二以上を表す識別情報を提示する情報提示部を備えることを特徴とする請求項１１に記載の操作器。
【請求項１３】
さらに、前記操作部は前記機器を操作する機器操作モード、前記警報器を操作する警報器操作モード、前記警報器の光源を操作する光源操作モードが設定され、モード設定された際、設定モード以外の操作を抑止することを特徴とする請求項１１に記載の操作器。
【請求項１４】
さらに、前記操作モードまたは前記光源操作モードの設定情報を提示する情報提示部を備えることを特徴とする請求項１３に記載の操作器。
【請求項１５】
前記警報器が発した音声指示を受け、この音声指示に対応する操作情報を出力することを特徴とする請求項１１に記載の操作器。
【発明の詳細な説明】
【技術分野】
【０００１】
本発明は、放送受信機器やＶＴＲ（Videotape Recorder）などの機器と警報器を共通の操作器で操作を可能にする遠隔操作の多機能化技術に関する。
【背景技術】
【０００２】
警報器は、屋内の各部屋などに設置されてたとえば、火災を検知した際に火災発生を警報音により報知する。この警報器には操作器が備えられ、点検や警報解除などに用いられる。
斯かる警報システムに関し、連動可能に配設された複数の警報器とともに操作器が備えられ、操作器の点検信号を受信した警報器が判定情報をＩＤ（Identification）とともに返答信号で送信し、操作器は警報器から返答信号とともに受けた判定情報を表示部に表示することが知られている（特許文献１）。
【先行技術文献】
【特許文献】
【０００３】
【特許文献１】特開２０１１−２３２９９５号公報
【発明の概要】
【発明が解決しようとする課題】
【０００４】
ところで、ガス漏れ検知や煙検知の機能を果たすため、警報器は屋内の天井やその近傍壁に設置される。高所の警報器の操作は、警報器にある引きヒモによる操作や、踏み台に上がっての操作などを必要としていた。これに対し、警報器の動作確認や警報解除などを遠隔操作するための操作器を備えれば、警報器の引きヒモによる直接操作が不要で、ユーザーの安全性を確保できるなど、警報システムの利便性を高める点で有効である。
屋内に常設される放送受信機器、照明器具、エアコンなどの機器には専用の操作器が備えられ、各機器の操作には複数の操作器から必要な操作器を選択しなければならない。これに警報器操作のため、専用の操作器が加われば、操作器の選択やその操作が複雑化するという課題がある。
しかしながら、家電機器に比較して警報器の操作は、点検や警報解除など、操作頻度が低く、しかも、操作にはより迅速性が求められるという課題がある。
斯かる要求や課題について、特許文献１にはその開示や示唆はなく、それを解決する構成等についての開示や示唆はない。
そこで、本発明の目的は上記課題に鑑み、家電機器などの機器および警報器の遠隔操作の機能を拡張し、かつ操作器の設置数を削除し、操作器の利便性を高めることにある。
また、本発明の他の目的は、屋内に常設される警報器に照明機能を付加して利便性を図ることにある。
【課題を解決するための手段】
【０００５】
上記目的を達成するため、本発明の警報操作システムの一側面によれば、警報器と警報器以外の機器とを共通の操作器で操作する警報操作システムであって、特定のデータフォーマットを用いる機器と、ひとつ以上のデータフォーマットが格納され、該データフォーマットから前記機器と共通のデータフォーマットを選択し、または前記機器と共通のデータフォーマットを取得して遠隔操作が行える警報器と、前記機器および前記警報器に共通するデータフォーマットにより、前記機器または前記警報器を選択的に操作可能な操作器とを備える。
この警報操作システムにおいて、前記警報器は、点灯、消灯、点滅、調光または発光色が切替え可能な光源部と、前記操作器の操作信号により、前記光源部の点灯、消灯、点滅、調光または発光色の切替えを行う光源制御部とを備えてよい。
この警報操作システムにおいて、前記操作器は、前記警報器に対して前記データフォーマットの選択または取得を指示し、または前記光源制御部に対して前記光源部の点灯、消灯、点滅、調光または発光色の切替えを指示する操作部を備えてよい。
この警報操作システムにおいて、前記警報器から音声による指示情報が発せられ、この指示情報に基づき前記操作器が前記警報器または前記機器に対する操作情報を出力してもよい。
【０００６】
上記目的を達成するため、本発明のプログラムの一側面によれば、コンピュータにより実現するプログラムであって、ひとつ以上のデータフォーマットを格納する記憶部から機器と共通のデータフォーマットを選択する機能と、前記機器と共通のデータフォーマットを取得する機能とを前記コンピュータにより実現する。
このプログラムにおいて、操作器に対する音声指示を行う指示情報を生成する機能を含んでよい。
【０００７】
上記目的を達成するため、本発明の警報器の一側面によれば、機器と共通の操作器で遠隔操作が可能な警報器であって、ひとつ以上のデータフォーマットが格納される記憶部と、前記記憶部から前記機器と共通のデータフォーマットを選択し、または前記機器と共通のデータフォーマットを取得する処理部とを備える。
この警報器において、さらに、点灯、消灯、点滅、調光または発光色が切替え可能な光源部と、前記操作器の操作信号により、前記光源部の点灯、消灯、点滅、調光または発光色の切替えを行う光源制御部とを備えてよい。
この警報器において、さらに、遠隔操作に用いるデータフォーマット、共通のデータフォーマットで遠隔操作される機器、または遠隔操作が可能な操作器の何れかまたは二以上を表す識別情報を提示する情報提示部を備えてよい。
この警報器において、前記操作器に対して音声指示を出力する音声指示部を備えてよい。
【０００８】
上記目的を達成するため、本発明の操作器の一側面によれば、機器と警報器を共通のデータフォーマットで選択的に遠隔操作する操作器であって、前記機器または前記警報器に対する操作信号を出力する操作制御部と、前記警報器に対して前記データフォーマットの選択または取得を指示し、または光源制御部に対して光源部の点灯、消灯、点滅、調光または発光色の切替えを指示する操作部とを備える。
この操作器において、さらに、遠隔操作に用いる前記データフォーマット、遠隔操作が可能な前記機器または前記警報器の何れかまたは二以上を表す識別情報を提示する情報提示部を備えてよい。
この操作器において、さらに、前記操作部は前記機器を操作する機器操作モード、前記警報器を操作する警報器操作モード、前記警報器の光源を操作する光源操作モードが設定され、モード設定された際、設定モード以外の操作を抑止してもよい。
この操作器において、さらに、前記操作モードまたは前記光源操作モードの設定情報を提示する情報提示部を備えてよい。
この操作器において、前記警報器が発した音声指示を受け、この音声指示に対応する操作情報を出力してよい。
【発明の効果】
【０００９】
本発明によれば、次のいずれかの効果が得られる。
＜警報操作システム＞
(1) 放送受信機器、エアコンなどの機器の遠隔操作に用いられる操作器を警報器の操作に利用でき、警報器操作の利便性が高められる。
(2) 警報器操作のための専用の操作器が不要となるので、専用の操作器の設置箇所への移動や専用操作器を探すといった手間がなく、機器操作に用いられる操作器で警報器の点検や警報解除などを行え、警報器操作を迅速化できる。
(3) 警報器と操作器の操作に必要なデータフォーマットは警報器にあるデータフォーマットからの選択または取得ができるので、警報器と操作器を操作可能に維持できる。
(4) 機器の取替えなどでデータフォーマットが変更されても、適合するデータフォーマットを取得するので、データフォーマット不適合による操作不能を防止できる。
【００１０】
＜プログラムおよび警報器＞
(5) 選択された操作器に適合するデータフォーマットを警報器から選択でき、機器操作に用いられる操作器で警報器を操作できる。
(6) 警報器にデータフォーマットが存在しない場合にはデータフォーマットを取得でき、警報器と機器操作用の操作器との関係を維持することができる。
(7) 操作可能な操作器やデータフォーマットの識別情報を提示でき、適合する操作器との関係を明示できる。
(8) 点灯、消灯、点滅、調光または発光色の切替え可能な光源部を備えれば、常夜灯、装飾照明などの光源として利用できる。
【００１１】
＜操作器＞
(9) 警報器と複数の機器の遠隔操作を行うことができるとともに、データフォーマットの選択または取得を行うことができる。
(10)  操作可能な警報器、データフォーマットまたは操作モードを提示でき、警報器や遠隔操作可能な機器の選択の利便性を高めることができる。
(11)  機器操作と警報器操作の干渉を避けることができ、機器や警報器の誤操作を防止できる。
そして、本発明の他の目的、特徴および利点は、添付図面および各実施の形態を参照することにより、一層明確になるであろう。
【図面の簡単な説明】
【００１２】
【図１】第１の実施の形態に係る警報操作システムを示す図である。
【図２】機器を示すブロック図である。
【図３】警報器を示すブロック図である。
【図４】操作器を示すブロック図である。
【図５】操作器の操作回路を示す回路図である。
【図６】操作機能が割り付けられた接点の短押し検出、長押し検出を説明するための図である。
【図７】操作器の前面パネル部を示す図である。
【図８】サーバーを示す図である。
【図９】Ａはフォーマット情報ファイルを示す図、Ｂは操作情報ファイルを示す図である。
【図１０】操作制御情報ファイルを示す図である。
【図１１】データフォーマットを整合させるための処理シーケンスを示す図である。
【図１２】操作器によるモード切替え操作の処理手順を示すフローチャートである。
【図１３】第２の実施の形態に係る警報器を示す図である。
【図１４】Ａは警報器の前面パネル部を示す図、Ｂは光源部を示す図である。
【図１５】光源部の各発光モードを示す図である。
【図１６】Ａは操作制御情報ファイルを示す図、Ｂは発光パターン制御情報ファイルを示す図である。
【図１７】操作器によるモード切替え操作の処理手順を示すフローチャートである。
【図１８】光源部の発光パターンの切替えの処理手順を示すフローチャートである。
【図１９】第３の実施の形態に係る警報操作システムを示す図である。
【図２０】警報器を示すブロック図である。
【図２１】操作器を示すブロック図である。
【図２２】音声通信を含む処理シーケンス示す図である。
【発明を実施するための形態】
【００１３】
〔第１の実施の形態〕
＜警報操作システム＞
図１は、第１の実施の形態に係る警報操作システムを示している。図１に示す構成は一例であり、斯かる構成に本発明が限定されるものではない。
この警報操作システム２には機器４、警報器６および操作器８が備えられる。機器４は放送受信機器などの家電機器であり、ガス機器であってもよい。警報器６は家屋の天井１０や、壁面１２などに設置される。この警報器６にはガス漏れ検知や煙検知などの異常検知機能、警報機能、異常状態を音声メッセージで報知する警報機能が備えられる。操作器８は、機器４および警報器６の遠隔操作に共用される。たとえば、機器４の操作のための操作器８が警報器操作に兼用されている。機器４および警報器６の操作にはたとえば、遠赤外線Ｌが用いられ、この操作内容には、機器４がたとえば、放送番組の記録機能を備える放送受信機器であれば、電源投入、その解除、受信チャンネルの選択、記録予約などが含まれる。警報器６の操作では点検、警報解除、操作器８の操作を連係させるためのデータフォーマットの選択または取得などが含まれる。
【００１４】
機器４の本体部１４には操作器８の赤外線通信部１６−１に対応する赤外線通信部１６−２が備えられる。この赤外線通信部１６−２は遠赤外線Ｌを用いて赤外線通信部１６−１との情報の授受に用いられる。
警報器６は異常検知機能や警報機能などの警報器本来の機能に加え、通信機能を備えたコンピュータを備え、インターネットなどの通信回線１８を介してサーバー２０に接続されている。このサーバー２０は警報器６を管理するたとえば、ガス会社などに設置される。
この警報器６には筐体部２２が備えられる。この筐体部２２には報知部２４、情報提示部２６、操作器８の赤外線通信部１６−１に対応する赤外線通信部１６−３が備えられる。情報提示部２６にはたとえば、ＬＣＤ（Liquid Crystal Display）が用いられる。赤外線通信部１６−３は遠赤外線Ｌを用いて赤外線通信部１６−１との情報の授受に用いられる。
【００１５】
操作器８には移動可能な筐体部２８が備えられる。この筐体部２８には操作部３０、情報提示部３２、放音部３４、赤外線通信部１６−１などが備えられる。操作部３０には複数の操作ボタン３６が備えられ、各操作ボタン３６が警報器操作や機器操作に割り付けられている。情報提示部３２には機器４や警報器６などの識別情報や、操作情報などが提示される。放音部３４は警報音、操作音またはメッセージ音声を出力する。赤外線通信部１６−１は機器４や警報器６との赤外線通信に用いられる。
【００１６】
＜データフォーマット＞
放送受信機器、照明機器、エアコンなどの機器の操作に用いられる一般的な操作器には製造元や規格により異なるデータフォーマットが用いられ、企業名や規格名を付して「・・・フォーマット」などと通称されている。一般に、データフォーマットとは、リモコン操作などの機器操作に用いられるデータ形式のことであり、赤外線リモコンなどに向けられた通信フォーマットも含む。このデータ形式とは、警報器操作の処理に用いるデータの生成、保存、データ送受の規則やデータ構造を意味する。このデータ構造とは、どのようなデータをどのように配列して保持や処理をするかを定義したものであり、ＯＳ（Operating System）やプログラミング言語に依存する。機器操作において、異なるデータフォーマットを用いれば、操作対象の特定や誤操作の防止などの利点がある。
【００１７】
＜機器４＞
図２は、機器４のハードウェアの一例を示している。この機器４が放送記録機能を備えるＴＶ受像機器であれば、たとえば、赤外線通信部１６−２、制御部３８、放送受信機能部４０、記憶部４２、通信部４４などが備えられる。
赤外線通信部１６−２は制御部３８の制御により、操作器８との赤外線通信を行って情報の授受を行う。
制御部３８はコンピュータで構成され、記憶部４２にあるＯＳやプログラムを実行するとともに、赤外線通信部１６−２、放送受信機能部４０または記憶部４２を制御する。放送受信機能部４０は制御部３８の制御により、ＴＶ放送などの放送受信を行う。記憶部４２はＲＯＭ（Read-Only Memory）やＲＡＭ（Random-Access Memory）などの記憶素子が備えられ、制御部３８の制御によりＯＳ、プログラム、赤外線通信などの制御情報、受信放送の予約、放送内容の記録などの情報を格納する。通信部４４はたとえば、インターネットなどの通信回線に接続され、制御部３８の制御により情報の送受を行う。
【００１８】
制御部３８にはプロセッサや入出力部が備えられる。この制御部３８の制御には、赤外線通信制御４６、操作制御４８、チャンネル選択制御５０、音声制御５２、放送記録・予約・解除制御５４などが含まれる。赤外線通信制御４６は特定の操作器８からの赤外線の受信を行う。操作制御４８は、操作器８からの操作信号であるかを判別し、機器４に向けられた操作内容であるかを識別する。チャンネル選択制御５０は操作器８で選択されるチャンネルを判別し、放送の受信チャンネルを選択する。音声制御５２は操作器８から指示される音声レベルに調整する。放送記録・予約・解除制御５４は操作器８から指示される受信放送の記録に関し、その予約や解除を行う。
【００１９】
＜警報器６＞
図３は、警報器６のハードウェアの一例を示している。この警報器６には赤外線通信部１６−３、異常検知部５６、制御部５８、記憶部６０、通信部６２、報知部２４、情報提示部２６および入力部６８が備えられる。
赤外線通信部１６−３は制御部５８の制御により、操作器８との赤外線通信を行って情報の授受を行う。
異常検知部５６はたとえば、ガス漏れ検知素子５６−１、煙検知素子５６−２を備え、ガス漏れや煙検知を行い、これらの異常検知信号を制御部５８に提供する。
制御部５８はコンピュータで構成され、記憶部６０にあるＯＳやプログラムを実行するとともに、赤外線通信部１６−３、記憶部６０、通信部６２、報知部２４、情報提示部２６または入力部６８を制御する。
記憶部６０はＲＯＭやＲＡＭなどの記憶素子が備えられ、制御部５８の制御によりＯＳ、プログラム、赤外線通信などの制御情報などの情報を格納する。通信部６２は制御部３８の制御により通信回線としてたとえば、インターネット１８を介してサーバー２０（図１）に接続されて情報の送受を行う。
報知部２４は制御部５８の制御により、異常時、警報などを報知する。情報提示部２６はたとえば、ＬＣＤを備え、制御部５８の制御により制御情報や報知情報を画像などにより提示する。入力部６８はたとえば、情報提示部２６に併設されるタッチパネルなどを備え、操作器８と同様に警報器６の操作入力に用いられる。
【００２０】
＜制御部５８による制御＞
制御部５８による制御には情報取得制御７０、異常判断制御７２、報知制御７４、データフォーマット選択７８、データフォーマット取得８０などが含まれる。
情報取得制御７０には記憶部６０の情報の読込み読出し、サーバー２０との間の情報交換などが含まれる。異常判断制御７２には、異常検知部５６から受けた検知情報が異常であるか否かの判定が含まれる。報知制御７４には異常時の警報出力、情報提示などが含まれる。データフォーマット選択７８には、記憶部６０にあるデータフォーマットの選択などが含まれる。データフォーマット取得８０にはサーバー２０からのデータフォーマットの取得が含まれる。
【００２１】
＜記憶部６０の格納情報＞
記憶部６０にはプログラム格納部８２、データフォーマット格納部８４が含まれる。プログラム格納部８２にはＯＳやプログラムなどが格納される。データフォーマット格納部８４には複数の格納部８４−１、８４−２、・・・が備えられる。格納部８４−１には操作器８との情報交換に用いるたとえば、データフォーマットＡが格納される。格納部８４−２は、サーバー２０から取得するデータフォーマットＸの格納領域である。
【００２２】
＜操作器８＞
図４は、操作器８のハードウェアの一例を示している。この操作器８には赤外線通信部１６−１、制御部８６、記憶部８８、通信部９０、情報提示部３２、放音部３４および操作入力部９４が備えられる。
赤外線通信部１６−１は制御部８６の制御により、機器４または警報器６との赤外線通信を行って情報の授受を行う。
制御部８６はコンピュータで構成され、記憶部８８にあるＯＳやプログラムを実行するとともに、赤外線通信部１６−１、記憶部８８、通信部９０、情報提示部３２、放音部３４または操作入力部９４を制御する。
記憶部８８はＲＯＭやＲＡＭなどの記憶素子が備えられ、制御部８６の制御によりＯＳ、プログラム、赤外線通信などの制御情報などの情報を格納する。通信部９０は制御部８６の制御により通信回線としてたとえば、インターネット１８を介してサーバー２０（図１）に接続されて情報の送受が可能である。
情報提示部３２はたとえば、ＬＣＤを備え、制御部８６の制御により識別情報や操作情報を画像などにより提示する。放音部３４にはたとえば、スピーカなどが用いられる。操作入力部９４には既述の操作部３０（図１）の他、情報提示部３２に併設されるタッチパネルなどが含まれる。
【００２３】
＜制御部８６による制御＞
制御部８６による制御には赤外線通信制御１００、操作制御１０２、情報提示制御１０４、データフォーマット取得制御１０６などが含まれる。赤外線通信制御１００には機器４の赤外線通信部１６−２との遠赤外線Ｌによる通信、警報器６の赤外線通信部１６−３との遠赤外線Ｌによる通信のための制御が含まれる。操作制御１０２には、操作部３０（図１）に割り付けられたモード設定や、機器４や警報器６に対するボタン操作、操作出力の生成などが含まれる。情報提示制御１０４には制御情報、操作モード、操作機器などの提示情報の生成が含まれる。データフォーマット取得制御１０６にはサーバー２０からのデータフォーマットの取得制御などが含まれる。
【００２４】
＜記憶部８８の格納情報＞
記憶部８８には機器情報格納部１０８、データフォーマット格納部１１０、提示情報格納部１１２などが含まれる。機器情報格納部１０８には操作器８の操作対象機器である機器４や警報器６の識別情報などが格納される。データフォーマット格納部１１０にはデータフォーマットの取得情報などが格納される。提示情報格納部１１２には、情報提示部３２に提示される情報が格納される。
【００２５】
＜操作器８の操作回路１１４＞
図５は、操作器８の操作回路１１４の一例を示している。図５に示す構成は一例であり、斯かる構成に本発明が限定されるものではない。
この操作回路１１４にはスイッチ部１１６、クロック部１１７、スイッチ検出部１１８、信号生成部１２０および赤外線送出部１２２が含まれる。
スイッチ部１１６には複数の行線Ｘと列線Ｙが備えられ、行線Ｘと列線Ｙの交差点には開閉可能な開閉接点Ｓとして複数行、複数列を構成する接点Ｓ１１、Ｓ１２、・・・、Ｓ１ｎ、Ｓ２１、Ｓ２２、・・・、Ｓ２ｎ、・・・、Ｓｎ１、Ｓｎ２、・・・、Ｓｎｎが備えられる。クロック部１１７は一定の時間間隔でクロック信号を発生する。
【００２６】
スイッチ検出部１１８は、スイッチ部１１６の接点Ｓ１１、Ｓ１２、・・・、Ｓ１ｎ、Ｓ２１、Ｓ２２、・・・、Ｓ２ｎ、・・・、Ｓｎ１、Ｓｎ２、・・・、Ｓｎｎの開または閉を表す検出信号を出力する。この接点Ｓｘ（＝Ｓ１１、Ｓ１２、・・・、Ｓ１ｎ、Ｓ２１、Ｓ２２、・・・、Ｓ２ｎ、・・・、Ｓｎ１、Ｓｎ２、・・・、Ｓｎｎのいずれか）の開閉について、クロック部１１７のクロック信号を参照し、接点Ｓｘの開閉時間に応じた検出信号を出力する。信号生成部１２０は、接点Ｓ１１、Ｓ１２、・・・、Ｓ１ｎ、Ｓ２１、Ｓ２２、・・・、Ｓ２ｎ、・・・、Ｓｎ１、Ｓｎ２、・・・、Ｓｎｎの開または閉を表すデータフォーマットに基づく操作信号を生成する。
赤外線送出部１２２はたとえば、遠赤外線発光素子を備え、信号生成部１２０で生成した操作信号を表す遠赤外線Ｌを送出する。
【００２７】
＜接点Ｓｘの短押し、長押しの検出＞
図６のＡはクロック信号、図６のＢは短押し出力信号、図６のＣは長押し出力信号を示している。
クロック部１１７が図６のＡに示すように、一定の時間間隔でクロック信号を発生するものとすれば、図６のＢに示すように、接点Ｓｘの押下が短い時間（＝短押し）であれば、クロック信号のカウント数に応じて、短押し出力信号が得られる。図６のＣに示すように、接点Ｓｘの押下が長い時間（＝長押し）であれば、クロック信号のカウント数に応じて、長押し出力信号が得られる。
これにより、ひとつの接点Ｓｘに対し、押下の長短に異なる機能を割り当てることができる。
【００２８】
＜操作器８の前面パネル部１２４＞
図７は、操作器８の前面パネル部１２４の一例を示している。操作器８の筐体部２８（図１）の前面パネル部１２４には、操作部３０、情報提示部３２、放音部３４が備えられる。  操作部３０には複数の操作ボタン３６が備えられる。複数の操作ボタン３６には、電源スイッチ、放送モード選択スイッチ、置数キー「１〜１２」、選局ボタン、音量調整ボタンなどの機能ボタンが含まれる。
この操作器８では、接点Ｓｘ（たとえば、接点Ｓ１１）にたとえば、電源ボタンを割り当てれば、短押し、長押し、モード設定中の長押しなどにより、後述の機能を設定することができる。
機器操作モードまたは警報器操作モードの設定中、そのモードにおいて、各接点Ｓｘに割り当てられている機能を選択することができる。
【００２９】
＜サーバー２０＞
図８は、サーバー２０の一例を示している。このサーバー２０には処理部１２６、記憶部１２８、通信部１３０、情報提示部１３２および入力部１３６が備えられる。
処理部１２６はコンピュータで構成され、記憶部１２８にあるＯＳやプログラムを実行するとともに、記憶部１２８、通信部１３０、情報提示部１３２または入力部１３６を制御する。
記憶部１２８はＲＯＭやＲＡＭなどの記憶素子が備えられ、処理部１２６の制御によりＯＳ、プログラム、赤外線通信などの制御情報などの情報を格納する。通信部１３０は処理部１２６の制御により通信回線としてたとえば、インターネット１８を介して警報器６または操作器８と接続されて情報の送受が可能である。
情報提示部１３２はたとえば、ＬＣＤを備え、処理部１２６の制御により識別情報や処理情報を画像などにより提示する。入力部１３６は各種情報の入力に用いられる。
【００３０】
＜サーバー２０による管理＞
サーバー２０による管理には警報器管理１３８、機器操作に必要なデータフォーマット提供１４０が含まれる。
記憶部１２８には警報器管理情報１４２、警報器６に提供するためのデータフォーマット情報１４４が格納される。このデータフォーマット情報１４４には放送受信機器などの各種機器の遠隔操作用のデータフォーマットが含まれる。
【００３１】
＜フォーマット情報ファイル１４６＞
図９のＡは、フォーマット情報ファイル１４６を示している。このフォーマット情報ファイル１４６は警報器６の記憶部６０に備えられる。このフォーマット情報ファイル１４６には図９のＡに示すように、識別情報部１４８、日時部１５０、フォーマット情報部１５２、操作機器部１５４が備えられる。識別情報部１４８にはデータフォーマットの識別情報が格納される。日時部１５０には格納日時などが格納される。フォーマット情報部１５２にはデータフォーマットを表す情報が格納される。操作機器部１５４には操作対象機器である機器４、操作器８などの識別情報が格納される。
【００３２】
＜操作器情報ファイル１５６＞
図９のＢは、操作情報ファイル１５６を示している。この操作情報ファイル１５６は操作器８の記憶部８８に備えられる。この操作情報ファイル１５６には図９のＢに示すように、操作対象機器との情報を共有するため、識別情報部１５８、日時部１６０、フォーマット情報部１６２、操作機器部１６４が備えられる。同様に、識別情報部１５８にはデータフォーマットの識別情報が格納される。日時部１６０には格納日時などが格納される。フォーマット情報部１６２にはデータフォーマットを表す情報が格納される。操作機器部１６４には操作対象機器である機器４、警報器６などの識別情報が格納される。
【００３３】
＜操作制御情報ファイル１６６＞
図１０は、操作制御情報ファイル１６６を示している。この操作制御情報ファイル１６６は操作器８の記憶部８８に備えられ、操作器８による操作対象として機器４または警報器６の選択、操作部３０に操作機能が割り付けられた機器４または警報器６の操作間の干渉回避に用いられる。
この操作制御情報ファイル１６６には図１０に示すように、操作機器選択部１６８、操作ボタン情報部１７０、割付け情報部１７２、提示情報部１７４が備えられる。
操作機器選択部１６８には機器４または警報器６の操作機器の選択情報が格納される。操作ボタン情報部１７０には操作器８の操作部３０の接点Ｓｘ（たとえば、電源ボタン）の操作ボタン情報が格納される。割付け情報部１７２には割り付けられた操作内容を表す情報が格納される。この操作内容を表す情報には、機器４側であれば、電源のＯＮ・ＯＦＦ、チャンネル選択、音量調整、記録操作などであり、警報器６であれば、点検、警報解除、警報復帰操作などが含まれる。
【００３４】
＜データフォーマットの整合処理＞
図１１は、操作器８、機器４および警報器６の遠隔操作に必要なデータフォーマットを整合させるための処理手順を示している。この処理手順において、Ｓは工程を表し、Ｓに付した番号はその工程順を表している（以下同じ）。
操作器８では電源の投入により初期設定が実行される（Ｓ１０１）。この初期設定において、機器４との赤外線通信が可能かの判定を行う（Ｓ１０２）。通信が可能であれば（Ｓ１０２のＹＥＳ）、警報器６との赤外線通信が可能かの判定を行う（Ｓ１０３）。
次に機器４側のデータフォーマットと警報器６側のデータフォーマットが一致しているかの判定を行い、これらの判定結果が提示情報部３２に提示される（Ｓ１０４）。
判定結果を参照し、データフォーマットが不整合であれば、警報器６をデータフォーマットの取得モードに移行させる（Ｓ１０５）。
このデータフォーマットの取得モードでは、警報器６がサーバー２０と通信を確立し（Ｓ１０６）、サーバー２０に対してデータフォーマットを要求し（Ｓ１０７）、機器４の遠隔操作と適合するデータフォーマットをサーバー２０から取得する（Ｓ１０８）。
取得したデータフォーマットはデータフォーマット格納部８４に格納する（Ｓ１０９）。このデータフォーマットを取得したことで、機器４および警報器６共通のデータフォーマットにより遠隔操作が可能となる（Ｓ１１０）。
【００３５】
＜モード切替えの処理手順＞
図１２は、操作器８によるモード切替えの処理手順を示している。この処理手順では、操作器８の接点Ｓｘ（＝Ｓ１１、Ｓ１２、・・・、Ｓ１ｎ、Ｓ２１、Ｓ２２、・・・、Ｓ２ｎ、・・・、Ｓｎ１、Ｓｎ２、・・・、Ｓｎｎの何れかたとえば、接点Ｓ１１）に電源のＯＮ、ＯＦＦおよびモード切替えが割り当てられた場合の処理である。
接点Ｓｘの短押しかを判定し（Ｓ２０１）、接点Ｓｘ＝短押しであれば（Ｓ２０１のＹＥＳ）、電源ＯＦＦ状態から電源＝ＯＮに切り替えられる（Ｓ２０２）。
この電源ＯＮ状態で、接点Ｓｘが操作されたとき、接点Ｓｘ＝短押しかを判定する（Ｓ２０３）。接点Ｓｘ＝短押しであれば（Ｓ２０３のＹＥＳ）、電源ＯＮ状態（Ｓ２０２）から電源＝ＯＦＦに切り替えられる（Ｓ２０４）。
【００３６】
この電源ＯＮ状態（Ｓ２０２）で、接点Ｓｘが操作されたとき、接点Ｓｘ＝短押しでなければ（Ｓ２０３のＮＯ）、接点Ｓｘ＝長押しかを判定する（Ｓ２０５）。接点Ｓｘ＝長押しであれば（Ｓ２０５のＹＥＳ）、電源ＯＮ状態で機器操作モードに切り替えられる（Ｓ２０６）。接点Ｓｘ＝長押しでなければ（Ｓ２０５のＮＯ）、Ｓ２０３に戻り、電源＝ＯＦＦに切り替えられる（Ｓ２０４）。
この機器操作モード（Ｓ２０６）で、接点Ｓｘが操作されたとき、接点Ｓｘ＝長押しかを判定する（Ｓ２０７）。接点Ｓｘ＝長押しであれば（Ｓ２０７のＹＥＳ）、警報器操作モードに切り替えられる（Ｓ２０８）。接点Ｓｘ＝長押しでなければ（Ｓ２０７のＮＯ）、Ｓ２０３に戻り、機器操作モード（Ｓ２０６）から電源＝ＯＦＦに切り替えられる（Ｓ２０４）。
【００３７】
＜第１の実施の形態の効果＞
この第１の実施の形態によれば、次の何れかの効果が得られる。
(1) 放送受信機器などの機器４および警報器６を操作器８で共通のデータフォーマットにより遠隔操作をすることができる。
(2) 機器操作に用いられる操作器側のデータフォーマットが異なっても、警報器６によりサーバー２０から必要なデータフォーマットを取得し、機器４側のデータフォーマットと整合させることができる。
(3) 操作頻度が低い警報器６の操作のための専用の操作器を備えておく必要がなく、遠隔操作システムの利便性が高められ、操作器管理の煩わしさを軽減できる。
(4) 身近にある操作器を警報器操作に兼用でき、警報器の動作解除という特殊な操作を身近な操作器で行うことができ、警報器操作の利便性を高めることができる。
(5) 放送受信機器に用いられる専用操作器などの通信フォーマットに限定されることなく、ユーザーが何れの操作器を使用しても警報器側のデータフォーマットの設定のみで、幅広く既存の操作器を利用することができる。
(6) 操作器８によれば、情報端末などの専用アプリの起動などが不要であり、警報器の警報解除などの迅速操作に適する。
(7) 既述のように、ひとつの接点Ｓｘの操作に電源のＯＮ、ＯＦＦ、モード切替えを割り当てることができ、簡易な操作を実現できる。
【００３８】
〔第２の実施の形態〕
＜警報器６＞
図１３は、第２の実施の形態に係る警報器６を示している。図１３において、図３と同一部分には同一符号を付し、その説明を割愛する。
この警報器６には光源部９６が備えられ、制御部５８の制御には既述の制御に加え、光源制御９８が含まれる。この光源制御９８に対応するため、記憶部６０には発光パターン情報１７６が格納される。
【００３９】
＜光源制御９８、発光パターン情報１７６＞
光源制御９８には光源部９６の点灯、消灯、点滅、調光または発光色の切替え制御が含まれる。調光では光源の発光量を高、中、低などに切り替える。発光色の切替えでは、警報時には赤色点灯、照明発光では白色点灯、装飾発光では青色点灯、緑色点灯、橙色点灯などに切替え可能である。
発光パターン情報１７６には光源部９６の発光パターンの詳細とともに、操作器８の操作情報が格納される。
【００４０】
＜警報器６の前面パネル部１７８＞
図１４のＡは、警報器６の前面パネル部１７８を示している。図１４のＡにおいて、図１中の警報器６と同一部分には同一符号を付してある。
筐体部２２の前面パネル部１７８の上部には光源部９６が備えられ、この光源部９６の下部に既述の情報提示部２６、報知部２４および赤外線通信部１６−３が備えられる。
【００４１】
＜光源部９６＞
図１４のＢは、光源部９６の発光素子構成を示している。この光源部９６には複数の発光素子１８０Ｒ、１８０Ｂ、１８０Ｇからなる発光素子群が備えられる。発光素子１８０Ｒは赤色発光用のＬＥＤ（Light Emitting Diode）、発光素子１８０Ｂは青色発光用のＬＥＤ、発光素子１８０Ｇは緑色発光用のＬＥＤでよい。
【００４２】
＜光源部９６の発光パターン＞
図１５は光源部９６の発光パターンを示している。図１５のＡは白色発光、図１５のＢは赤色発光、図１５のＣは青色発光、図１５のＤは緑色発光、図１５のＥは黄色発光である。
白色発光（図１５のＡ）では、通常照明や常夜灯などに利用すればよい。赤色発光（図１５のＢ）は異常時の警報モードに使用すればよい。
【００４３】
青色発光（図１５のＣ）、緑色発光（図１５のＤ）および黄色発光（図１５のＥ）は装飾照明に使用すればよい。
その他、発光素子１８０Ｒ、１８０Ｂ、１８０Ｇの点灯個数の組み合わせにより、多様な発光色の生成が可能である。
また、発光パターンには何れも調光制御および点滅制御により、多様な発光形態を得ることができる。
【００４４】
＜操作制御情報ファイル１６６＞
図１６のＡは、操作制御情報ファイル１６６を示している。この操作制御情報ファイル１６６は操作器８の記憶部８８に備えられ、操作器８による操作対象として機器４または警報器６の選択、操作部３０に操作機能が割り付けられた機器４または警報器６の操作間の干渉回避に用いられることは第１の実施の形態と同様である。
この第２の実施の形態では、光源操作モードが加えられ、操作器８により警報器６の光源部９６を操作することができる。
【００４５】
＜発光パターン制御情報ファイル１８２＞
図１６のＢは、発光パターン制御情報ファイル１８２を示している。この発光パターン制御情報ファイル１８２には既述の発光パターン情報１７６が格納される。
この発光パターン制御情報ファイル１８２には状況に応じた発光パターンの選択および操作器８の操作部３０への割付け操作情報が含まれ、光源部９６はこの発光パターン制御情報ファイル１８２の格納情報によって制御される。
【００４６】
この発光パターン制御情報ファイル１８２は状況部１８４、操作割付け部１８６、発光パターン部１８８が備えられる。
状況部１８４には警報、白色照明、装飾照明の識別情報が格納される。操作割付け部１８６には操作部３０の操作ボタン情報が格納される。
発光パターン部１８８には、発光色部１９０、光量部１９２、点灯形態部１９４が含まれる。発光色部１９０には白色、赤色、青色、緑色、黄色の発光色情報が格納される。警報時は赤色発光に固定されている。光量部１９２には発光光量を表す制御情報が格納される。点灯形態部１９４には連続点灯か点滅点灯かなどの点灯形態情報が格納される。
そして、発光パターン制御情報ファイル１８２に格納された情報は、情報提示部３２に提示させることにより、ユーザーがその情報を確認できる。
【００４７】
＜モード切替えの処理手順＞
図１７は、操作器８によるモード切替えの処理手順を示している。この処理手順では、第１の実施の形態と同様に、操作器８の接点Ｓｘ（＝Ｓ１１、Ｓ１２、・・・、Ｓ１ｎ、Ｓ２１、Ｓ２２、・・・、Ｓ２ｎ、・・・、Ｓｎ１、Ｓｎ２、・・・、Ｓｎｎの何れかたとえば、接点Ｓ１１）に電源のＯＮ、ＯＦＦおよびモード切替えが割り当てられた場合の処理である。
接点Ｓｘの短押しかを判定し（Ｓ３０１）、接点Ｓｘ＝短押しであれば（Ｓ３０１のＹＥＳ）、電源＝ＯＮに切り替えられる（Ｓ３０２）。
この電源ＯＮ状態で、接点Ｓｘが操作されたとき、接点Ｓｘ＝短押しかを判定する（Ｓ３０３）。接点Ｓｘ＝短押しであれば（Ｓ３０３のＹＥＳ）、電源ＯＮ状態（Ｓ３０２）から電源＝ＯＦＦに切り替えられる（Ｓ３０４）。
【００４８】
この電源ＯＮ状態（Ｓ３０２）で、接点Ｓｘが操作されたとき、接点Ｓｘ＝短押しでなければ（Ｓ３０３のＮＯ）、接点Ｓｘ＝長押しかを判定する（Ｓ３０５）。接点Ｓｘ＝長押しであれば（Ｓ３０５のＹＥＳ）、電源ＯＮ状態で機器操作モードに切り替えられる（Ｓ３０６）。接点Ｓｘ＝長押しでなければ（Ｓ３０５のＮＯ）、Ｓ３０３に戻り、電源＝ＯＦＦに切り替えられる（Ｓ３０４）。
この機器操作モード（Ｓ３０６）で、接点Ｓｘが操作されたとき、接点Ｓｘ＝長押しかを判定する（Ｓ３０７）。接点Ｓｘ＝長押しであれば（Ｓ３０７のＹＥＳ）、警報器操作モードに切り替えられる（Ｓ３０８）。接点Ｓｘ＝長押しでなければ（Ｓ３０７のＮＯ）、Ｓ３０３に戻り、機器操作モード（Ｓ３０６）から電源＝ＯＦＦに切り替えられる（Ｓ３０４）。
【００４９】
この警報器操作モード（Ｓ３０８）で、接点Ｓｘが操作されたとき、接点Ｓｘ＝長押しかを判定する（Ｓ３０９）。接点Ｓｘ＝長押しであれば（Ｓ３０９のＹＥＳ）、光源操作モードに切り替えられる（Ｓ３１０）。接点Ｓｘ＝長押しでなければ（Ｓ３０９のＮＯ）、Ｓ３０３に戻り、警報器操作モード（Ｓ３０８）から電源＝ＯＦＦに切り替えられる（Ｓ３０４）。
【００５０】
＜発光パターンの切替えの処理手順＞
図１８は、光源操作モードにおける発光パターンの切替えの処理手順を示している。警報器６では異常検知に基づき、異常かの判定を行う（Ｓ４０１）。異常であれば（Ｓ４０１のＹＥＳ）、どのようなモードであろうとも、光源部９６の発光パターンを赤色点灯に遷移させる（Ｓ４０２）。赤色点灯で待機し、これにより、異常を連続的に報知することができる。
異常がなければ（Ｓ４０１のＮＯ）、操作器８の操作を契機として発光パターンの変更かを判定する（Ｓ４０３）。発光パターンの変更であれば（Ｓ４０３のＹＥＳ）、白色照明かを判定する（Ｓ４０４）。発光パターンの変更でなければ（Ｓ４０３のＮＯ）、現在の発光パターンを維持する（Ｓ４０５）。
【００５１】
白色照明であれば（Ｓ４０４のＹＥＳ）、光量の選択、点灯形態の選択など（Ｓ４０６）が行える。
白色照明でなければ（Ｓ４０４のＮＯ）、装飾照明かを判定し（Ｓ４０７）、装飾照明であれば（Ｓ４０７のＹＥＳ）、発光色の選択、光量の選択、点灯形態の選択など（Ｓ４０８）が行える。装飾照明でなければ（Ｓ４０７のＮＯ）、Ｓ４０１に戻り、待機状態となる。
【００５２】
＜第２の実施の形態の効果＞
この第２の実施の形態によれば、次の効果が得られる。
(1) 警報器６に設置した光源部９６により、警報発光、常夜灯などの照明、装飾照明など多様な光源として利用することができる。
(2) 光源部９６の発光パターンは警報発光を除き、操作器８により所望のパターンおよび形態に遠隔操作により変更でき、警報器６を夜間照明から通常照明、装飾照明など、多様性のある照明システムとして構築することができる。
【００５３】
〔第３の実施の形態〕
＜警報操作システム＞
図１９は、第３の実施の形態に係る警報操作システムを示している。図１９において、図１と同一部分には同一符号を付してある。
この第３の実施の形態では、警報器６の報知部２４は警報報知だけでなく、操作器８に対する音声指示部の報知出力部を構成する。この報知部２４はたとえば、スピーカで構成すればよい。
これに対し、操作器８には警報器６からの音声指示を受ける受音部３５が備えられる。この受音部３５はたとえば、マイクロフォンで構成すればよい。
その他の構成は図１と同様であるので、その説明を割愛する。
【００５４】
＜警報器６＞
図２０は、操作器８に対する音声指示機能を持つ警報器６を示している。図２０において、図３と同一部分には同一符号を付してある。
この警報器６では、制御部５８が操作器８に対する音声指示を行うための音声通信制御７５を行う。音声通信制御７５には報知制御７４以外の音声通信に関する通信制御を担い、操作器８が行う操作のための指示やその情報提示などが含まれる。その他の構成は図３と同様であるので、その説明を割愛する。
【００５５】
＜操作器８＞
図２１は、操作器８を示している。図２１において、図４と同一部分には同一符号を付してある。
この操作器８では、制御部８６が警報器６からの音声指示の受信やその処理に関する音声通信制御１０１を行う。音声通信制御１０１には赤外線通信制御１００以外の音声通信に関する通信制御を担い、警報器６から受けた音声指示に対応する警報器６に対する操作指示やその情報提示などが含まれる。その他の構成は図４と同様であるので、その説明を割愛する。
【００５６】
＜音声通信＞
図２２は、音声通信を含む処理シーケンスを示している。この処理シーケンスには操作器８、機器４および警報器６の遠隔操作に必要なデータフォーマットを整合させるための処理が含まれる。
【００５７】
操作器８は電源の投入により初期設定を実行し（Ｓ５０１）、待機状態となる。
警報器６は報知部２４から音声を出力し（Ｓ５０２）、操作器８はこの音声出力を受音部３５で受音する。操作器８は警報器６からの音声出力を受け、警報器６との音声通信が可能かの判定を行い（Ｓ５０３）、この判定結果出力を警報器６にたとえば、赤外線通信で応答する（Ｓ５０４）。
【００５８】
警報器６はフォーマット処理などに関し、操作器８に対し音声指示を行う（Ｓ５０５）。この音声指示を受けた操作器８は応答出力として赤外線通信による指示を警報器６に向けて出力する（Ｓ５０６）。
警報器６はデータフォーマットなどの各種の処理を実行し（Ｓ５０７）、共通のデータフォーマットによる遠隔操作を確立する（Ｓ５０８）。
この第３の実施の形態では、警報器６からの音声指示の一例としてデータフォーマット処理を例示したが、警報器６から警報時、操作器８が取るべき必要な処理を実施するための音声指示を出力してもよい。
【００５９】
＜第３の実施の形態の効果＞
この第３の実施の形態によれば、次の効果が得られる。
(1) 警報器６と操作器８を赤外線通信とは別に音声通信によって接続することができ、音声通信で警報器６と操作器８との接続を補完することができる。たとえば、赤外線通信が不調な場合、音声通信で代替えすることができる。
(2) この音声通信には警報器６が発する警報を音声として捉え、操作器８は警報器６の警報出力を以て必要な操作を行うことができる。
(3) 警報器６から操作器８に向けられた音声指示はたとえば、電子音でユーザーが認識できる言語出力で行うことができるので、操作器８への指示をユーザーが容易に認識することができる。
【００６０】
〔他の実施の形態〕
本発明の実施の形態には次のようなバリエーションが含まれる。
(1) 操作器８による操作には、警報停止、テスト、点検、リセット、データフォーマットの切替え、警報切替え、警報器６または操作器８に表示部を備えて警報履歴の表示などの操作が含まれる。
(2) 上記実施の形態では、遠赤外線を用いた無線信号による遠隔操作を例示しているが、有線による操作であってもよい。
(3) 操作器８には機能割当て用の設定ボタンを備え、これにより警報器の操作設定を可能にしてもよい。
(4) 操作器８は、機器操作用の操作器に限定されず、汎用の操作器を使用することもできる。
(5) 操作器８にスマートフォンなどの情報端末を利用してもよい。
【００６１】
以上説明したように、本発明の最も好ましい実施の形態等について説明した。本発明は、上記記載に限定されるものではない。特許請求の範囲に記載され、または発明を実施するための形態に開示された発明の要旨に基づき、当業者において様々な変形や変更が可能である。斯かる変形や変更が、本発明の範囲に含まれることは言うまでもない。
【産業上の利用可能性】
【００６２】
本発明の警報操作システムによれば、機器および警報器をたとえば、ひとつの操作器で遠隔操作でき、機器の買換えなどによるデータフォーマットの変更に対応でき、警報器を照明光源や装飾光源に利用でき、利便性の高いシステムを構築できる。
【符号の説明】
【００６３】
２  警報操作システム
４  機器
６  警報器
８  操作器
１０  天井
１２  壁面
１４  本体部
１６−１、１６−２、１６−３  赤外線通信部
１８  通信回線
２０  サーバー
２２  筐体部
２４  報知部
２６、３２、１３２  情報提示部
２８  筐体部
３０  操作部
３４  放音部
３５  受音部
３６  操作ボタン
３８、５８、８６  制御部
４０  放送受信機能部
４２、８８、６０、１２８  記憶部
４４、６２、９０、１３０  通信部
４６  赤外線通信制御
４８、１０２  操作制御
５０  チャンネル選択制御
５２  音声制御
５４  放送記録・予約・解除制御
５６  異常検知部
５６−１  ガス漏れ検知素子
５６−２  煙検知素子
６８  入力部
７０  情報取得制御
７２  異常判断制御
７４  報知制御
７５  音声通信制御
７８  データフォーマット選択
８０  データフォーマット取得
８２  プログラム格納部
８４  データフォーマット格納部
８４−１、８４−２、・・・  格納部
９４  操作入力部
９６  光源部
９８  光源制御
１００  赤外線通信制御
１０１  音声通信制御
１０４  情報提示制御
１０６  データフォーマット取得制御
１０８  機器情報格納部
１１０  データフォーマット格納部
１１２  提示情報格納部
１１４  操作回路
１１６  スイッチ部
Ｓ１１、Ｓ１２、・・・、Ｓ１ｎ、Ｓ２１、Ｓ２２、・・・、Ｓ２ｎ、・・・、Ｓｎ１、Ｓｎ２、・・・、Ｓｎｎ  接点
１１７  クロック部
１１８  スイッチ検出部
１２０  信号生成部
１２２  赤外線送出部
１２４  前面パネル部
１２６  処理部
１３６  入力部
１３８  警報器管理
１４０  データフォーマット
１４２  警報器管理情報
１４４  データフォーマット情報
１４６  フォーマット情報ファイル
１４８  識別情報部
１５０  日時部
１５２  フォーマット情報部
１５４  操作機器部
１５６  操作情報ファイル
１５８  識別情報部
１６０  日時部
１６２  フォーマット情報部
１６４  操作機器部
１６６  操作制御情報ファイル
１６８  操作機器選択部
１７０  操作ボタン情報部
１７２  割付け情報部
１７４  提示情報部
１７６  発光パターン情報
１７８  前面パネル部
１８０Ｒ、１８０Ｂ、１８０Ｇ  発光素子
１８２  発光パターン制御ファイル
１８４  状況部
１８６  操作割付け部
１８８  発光パターン部
１９０  発光色部
１９２  光量部
１９４  点灯形態部
【図１】
2020004082.tif 000003
【図２】
2020004082.tif 000004
【図３】
2020004082.tif 000005
【図４】
2020004082.tif 000006
【図５】
2020004082.tif 000007
【図６】
2020004082.tif 000008
【図７】
2020004082.tif 000009
【図８】
2020004082.tif 000010
【図９】
2020004082.tif 000011
【図１０】
2020004082.tif 000012
【図１１】
2020004082.tif 000013
【図１２】
2020004082.tif 000014
【図１３】
2020004082.tif 000015
【図１４】
2020004082.tif 000016
【図１５】
2020004082.tif 000017
【図１６】
2020004082.tif 000018
【図１７】
2020004082.tif 000019
【図１８】
2020004082.tif 000020
【図１９】
2020004082.tif 000021
【図２０】
2020004082.tif 000022
【図２１】
2020004082.tif 000023
【図２２】
2020004082.tif 000024